(57)【特許請求の範囲】
【請求項１】
入場した入場者を対象として同入場者の入場データ、及び、同入場者の退場データを取得して記録手段に記録し、
同入場者の再入場データを取得して記録手段に記録すると共に、
前記入場データ及び退場データと前記再入場データとを比較して、入場した後一旦退場した退場者が再入場したか否かの再入場状況に基づき、再入場していない退場者の退場データを画像表示する表示手段を有する管理手段を備えた
入退場管理装置。
【請求項２】
前記管理手段は、一定時間内に全ての前記退場者が再入場したことを検出して、前記記録手段に記録されているデータを削除することを特徴とする
請求項１記載の入退場管理装置。
【発明の詳細な説明】
【０００１】
【発明の属する技術分野】
この発明は、例えば空港の搭乗ゲートを利用した入退場者を管理する入退場管理装置に関し、さらに詳しくは入退場者の状況を正確に管理する入退場管理装置に関する。
【０００２】
【従来の技術】
一般に、この種の入退場管理装置は入場者が入場したときの入場データと、退場者が退場したときの退場データとをデータ管理して入退場利用状況を管理している。
【０００３】
その管理例としては、
（１）人の居場所ゾーンを個別に管理する居場所管理システム及び入退場判定方法
（２）携帯電話を利用して入退室を管理する管理局管理システム
（３）空港の搭乗ゲートを利用した入退場管理システム
が知られている。
【０００４】
しかし、このような管理システムにあっては、入場データ及び退場データを正確に管理できる反面、一旦、受付けられた入場者が何らかの理由で退場し、再び入場するとき、その再入場者に対するデータの追従管理ができず、このため再入場者まで管理することには限界が生じていた。
【０００５】
例えば、空港において、飛行機が離陸寸前にトラブルに見舞われ、点検が完了するまでの間、搭乗者を機外に退場許容して一部の搭乗者が退場したときに、その後の再搭乗データが不明で再搭乗されたか否かが正確に判別できず、そのために再搭乗者の確認を人為的に調べざるを得ず、手間のかかる問題を有していた。
【０００６】
【発明が解決しようとする課題】
そこでこの発明は、再入場者の管理に際して、入場、退場データだけでなく、再入場データのそれぞれを管理することにより、入退場者毎に個別にデータ管理して、全ての入退場者を明確に管理することができる入退場管理装置の提供を目的とする。
【０００７】
【課題を解決するための手段】
請求項１記載の発明は、入場した入場者を対象として同入場者の入場データ、及び、同入場者の退場データを取得して記録手段に記録し、同入場者の再入場データを取得して記録手段に記録すると共に、前記入場データ及び退場データと前記再入場データとを比較して、入場した後一旦退場した退場者が再入場したか否かの再入場状況に基づき、再入場していない退場者の退場データを画像表示する表示手段を有する管理手段を備えた入退場管理装置であることを特徴とする。
【０００８】
請求項２記載の発明は、前記管理手段が、一定時間内に全ての前記退場者が再入場したことを検出して、前記記録手段に記録されているデータを削除することを特徴とする。
【０００９】
【発明の作用及び効果】
この発明によれば、一旦、入場した入場者を対象として同入場者の入場データ、及び、同入場者の退場データを取得して記録手段に記録し、同入場者の再入場データを取得して記録手段に記録すると共に、前記入場データ及び退場データと前記再入場データとを比較して、再入場状況に基づいて再入場していない退場者の退場データを画像表示する表示手段を有する管理手段を備えてあるため、この表示手段に表示されたデータを見るだけで容易に現在の再入場状況を確認することができ、その入退場及び再入場利用した人の動きを正確に捉えることができる。この結果、入場者データと退場者データを管理するだけでなく、一時退場した退場者の再入場データを自動的に取得できるため退場者を個別にデータ管理でき、退場後において、再入場したか否かの再入場状況を容易に把握することができる。
【００１０】
また例えば、再入場が義務付けられている場合は、一定時間経過しても再入場しない再入場者を呼出し対象者として、自動検索して表示案内することができる。
【００１１】
【実施例】
この発明の一実施例を以下図面に基づいて詳述する。
【００１２】
図面は空港の搭乗口に設置される搭乗ゲートの入退場データを管理する入退場管理システムを示し、図１に示すように、この入退場管理システムに用いられる搭乗ゲート１１はゲート本体１２の前後に通り抜け制御用の開閉ゲート１３，１４を配設し、またゲート本体１２の上面前後位置に搭乗券Ｔの投入口１５と放出口１６を配設し、さらにゲート本体１２の上面後部側には改札時の利用案内情報を表示する案内表示器１７を配設している。
【００１３】
図２は搭乗ゲート１１の制御回路ブロック図を示し、ＣＰＵ２１はＲＯＭ２２に格納されたプログラムに沿って各回路装置を制御し、その制御データをＲＡＭ２３で読出し可能に記憶する。
【００１４】
搭乗券処理機構２４は、投入口１５に搭乗券Ｔが投入されたとき、その投入された搭乗券Ｔを内部の図示しない磁気データ処理部に導いて搭乗券Ｔの有効性を読取り、また更新データ書込み処理する。さらに、連続して通行する搭乗者を一人ずつ改札処理するように投入口シャッタを開閉操作し、さらに投入口検知センサで搭乗券Ｔの投入を検知し、また放出口検知センサで搭乗券Ｔが放出口１６に放出されたことを、また抜取られたことを検知確認する。
【００１５】
ゲート開閉機構２５は、ＣＰＵ２１が判定した改札利用者の改札可否データに基づいてゲート駆動モータを駆動し、同モータの駆動に基づいて各開閉ゲート１３，１４を開閉操作する。
【００１６】
搭乗者検知機構２６は、ゲート本体１２の通路面側に配設した通行検知センサの検知信号に基づいて搭乗者の通行状態を検知し、また搭乗券データが無効のとき、あるいは無投入改札客のとき、警報器２７より警報出力する。
【００１７】
通信装置２８は、センタ２９と通信許容し、一旦入場した入場者を対象とする同入場者の入場、退場、再入場データをセンタ２９に送信して、改札したときの各々の入退場データをセンタ２９で記憶管理する。
【００１８】
この入退場データに際しては、図３（ａ）に示すように、空港３１に設置された搭乗ゲート１１で改札処理を済ませた搭乗者３２が飛行機３３に搭乗した後、図３（ｂ）に示すように、飛行機３３が離陸寸前にトラブルに見舞われ、点検が完了するまでの間、搭乗者３２の全員または一部が機外に一旦退場し、その退場者が再び入場されるまでを管理するため、図３（ｃ）に示すように、その後の再入場時の再入場データをセンタ２９で正確に管理する。この場合、センタ２９は搭乗券Ｔに記録されている入場、出場、再入場データを読取ることに基づいて再入場が義務付けられた搭乗券Ｔ別の搭乗者を特定することができる。
【００１９】
図４はセンタ２９が記憶管理するフライト便別の搭乗者名簿データを示し、この搭乗者名簿データには
（１）搭乗時の記録データとして、入場者名、座席番号、入場時刻、利用ゲート番号、旅客照会番号を記憶管理し、
（２）退場時の記録データとして、退場者名、座席番号、入場時刻、利用ゲート番号、旅客照会番号を記憶管理し、
（３）再入場時の記録データとして、再入場者名、座席番号、入場時刻、利用ゲート番号、旅客照会番号を記憶管理する。
【００２０】
これにより、搭乗者毎の入退場管理が正確に行え、退場者の管理に際しては、その後に再入場されたか、否かを容易にチェックすることができる。このようにセンタ２９が１人ずつの入退場データを明確に管理して全ての搭乗者の入退場データを自動的に管理する。
【００２１】
図５は搭乗ゲート１１の案内表示器１７あるいは図示しない係員表示器に再通過利用を表示案内させた場合を示し、退場時や再入場時には再通過５１のモードに設定されていることを表示案内する。
【００２２】
この再通過モードで通過利用されたときは、図６に示すように、案内表示器１７に搭乗者が再通過したときの詳細な搭乗データ６１を表示案内する。これを見て搭乗者及び係員はその搭乗時の退場データや再入場データを容易に確認することができる。
【００２３】
図７は搭乗ゲート１１を入場モードから退場モードに切換える場合の一例を示し、これは搭乗ゲート１１の向きを１８０°反転させて通行方向を方向変換させることによって入場モードから退場モードに切換えるものである。このように搭乗ゲート１１の向きを物理的に方向変換させる以外に、図８に示すように、案内表示器１７の画面に「退場ボタン」８１を表示させ、この退場ボタン８１を係員がタッチ入力することにより退場モードに切換えるように設定することもできる。
【００２４】
また、入退場データの管理に際しては、センタ２９で管理する以外に搭乗ゲート１１だけで管理することもできる。例えば、図９に示すように、入場時、退場時、再入場時に、その都度、搭乗券Ｔが改札利用され、その改札利用毎の搭乗券Ｔのデータを読取り、これをＲＡＭ２３に記憶管理させる。この場合は、同一の搭乗ゲート１１で記録管理するように設定して特定の１台の搭乗ゲート１１を指定利用させることができる。
【００２５】
この他、図１０に示すように、各搭乗ゲート１１ａ，１１ｂ，１１ｃ…を共通利用した場合を示し、各搭乗ゲート１１ａ〜１１ｃ…間でデータを交信してデータ管理し、いずれかの搭乗ゲート１１ａ〜１１ｃ…を用いても改札許容するゲート管理を構築できる。
【００２６】
ところで、空港でのトラブル待機状態等で再入場が約束されているような場合は、図１１に示すように、待機時間が経過しても再入場しない搭乗者を、呼出し対象者として案内表示器１７に自動的に検索して表示案内することができる。したがって、係員がこれを見て未再入場者の有無や再入場状況及び特定の呼出し対象者を的確に把握管理することができる。
【００２７】
このように構成された入退場管理システムの処理動作を図１２のフローチャートを参照して説明する。
今、搭乗者が搭乗券Ｔを用いて搭乗ゲート１１に改札利用したとき、改札利用された入場データが搭乗券Ｔに記録され、またそのときの入場データが搭乗ゲート１１からセンタ２９へと送信されて入場データが管理される（ステップｎ1 ）。
【００２８】
この搭乗ゲート１１の改札処理が終った後、搭乗した飛行機のトラブル発生等に伴って旅客待機時間が生じ、一定時間退場許容されると（ステップｎ2 ）、
一旦、搭乗した搭乗者が機外に退場する毎に、再び搭乗券Ｔを搭乗ゲート１１に改札処理させて退場する。このとき、退場時の改札処理に伴って、そのときの退場データが搭乗券Ｔ及びセンタ２９に記録される。その後は、一定の退場許容時間が経過するまで退場者が再入場するのを待機管理し（ステップｎ3 ）、
この待機管理中に再入場者が搭乗券Ｔを再び搭乗ゲート１１に通過させて再入場データの処理をさせると、そのときの再入場データが搭乗券Ｔ及びセンタ２９に記録される（ステップｎ4 ）。
【００２９】
その後、飛行機の点検が完了して待機時間に至った段階で、再入場者の全員が再入場していなければ（ステップｎ5 ）、
その再入場していない人の氏名、券の旅客照会番号等を案内表示器１７に表示案内して必要な情報を係員に速やかに知らせて的確に対処することができる（ステップｎ6 ）。
【００３０】
一方、再入場者が一定時間内に全て揃えば、同フライト便の退場データを消去して入退場データの管理が終了する（ステップｎ7 ）。
【００３１】
この退場データの消去タイミングとしては、入退場データが不要となった段階でそのデータを消去する。例えば、再入場完了時、異なるフライト便情報受信時、消去ボタン押下時、退場モードの切換え時に実行する。
【００３２】
上述のように、一旦、入場した入場者を対象とする同入場者の入場、退場、再入場データを管理することができるため、その入退場及び再入場利用した人の動きを正確に捉えて、入場者データと退場者データを管理するだけでなく、一時退場した退場者が再入場するまでの再入場データを自動的に管理でき、退場者が再入場したか否かの再入場状況を容易に把握することができる。
【００３３】
また、搭乗券を携帯利用する入退場者の記録データから入退場者毎に個別に入退場データを取得できるため、各人の入退場状況を正確に管理できる。
【００３４】
さらに、入退場データをセンタで管理すれば、このセンタが全ての入退場データを管理して、搭乗者毎の入場、退場、再入場データを自動的に管理することができる。
【００３５】
また、入退場データを案内表示器で画像表示することにより、この案内表示器に表示された入退場データを見るだけで容易に現在の入退場データを確認することができる。また、一定時間経過しても再入場しない再入場者をセンタが自動検索して、その呼出し対象者を特定して表示案内することができる。
【００３６】
このような入退場管理システムを用いれば、入場、退場、再入場データのそれぞれを正確に管理できるため、利用者毎に個別に入退場データを管理するのに適した空港の搭乗口に設置される搭乗ゲートや鉄道の改札口に設置される自動改札機などに広く適用することができ、ことに多くの利用者に対する入退場管理を円滑に図ることができる。
【００３７】
この発明と、上述の一実施例の構成との対応において、
この発明の入退場管理装置は、実施例の搭乗ゲート１１，１１ａ，１１ｂ，１１ｃに対応し、
以下同様に、
管理手段は、ＣＰＵ２１、ＲＡＭ２３、案内表示器１７及びセンタ２９に対応し、
記録手段は、センタ２９に対応し、
表示手段は、案内表示器１７に対応するも、
この発明は請求項に示される技術思想に基づいて応用することができ、上述の一実施例の構成のみに限定されるものではない。
【００３８】
例えば、上述の実施例では磁気処理部で搭乗券を処理する搭乗ゲート１１を示したが、これに限らず、非接触に搭乗券を処理する非接触型の搭乗ゲートを用いることもできる。
【図面の簡単な説明】
【図１】  この発明の搭乗ゲートを示す外観斜視図。
【図２】  この発明の搭乗ゲートの制御回路ブロック図。
【図３】  この発明の入場、退場、再入場状態を示す説明図。
【図４】  この発明のセンタが記憶する搭乗者名簿データの説明図。
【図５】  この発明の案内表示器の再通過待機画面を示す表示図。
【図６】  この発明の案内表示器の再通時の案内画面を示す表示図。
【図７】  この発明の搭乗ゲートの入退場モードの切換え状態を示す説明図。
【図８】  この発明の搭乗ゲートの入退場モードの切換え状態を示す表示説明図。
【図９】  この発明の同一搭乗ゲートでの入場、退場、再入場データの管理状態を示す説明図。
【図１０】  この発明の複数の共通の搭乗ゲートの利用状態を示す説明図。
【図１１】  この発明の案内表示器に呼出し対象者を表示した表示説明図。
【図１２】  この発明の入退場管理システムの処理動作を示すフローチャート。
【符号の説明】
１１，１１ａ，１１ｂ，１１ｃ…搭乗ゲート
１７…案内表示器
２１…ＣＰＵ
２３…ＲＡＭ
２４…搭乗券処理機構
２９…センタ
３１…空  港
３２…搭乗者
３３…飛行機
５１…再通過
６１…搭乗データ
８１…退場ボタン
Ｔ…搭乗券
【図１】
0003794198.tif 000002
【図２】
0003794198.tif 000003
【図３】
0003794198.tif 000004
【図４】
0003794198.tif 000005
【図５】
0003794198.tif 000006
【図６】
0003794198.tif 000007
【図７】
0003794198.tif 000008
【図８】
0003794198.tif 000009
【図９】
0003794198.tif 000010
【図１０】
0003794198.tif 000011
【図１１】
0003794198.tif 000012
【図１２】
0003794198.tif 000013